(57)【要約】      （修正有）【課題】迅速且つ容易に頭部へ着脱をすることができ、装着できる部分を頭部の前後左右どの場所においても可能とし、且つ毛髪と一体感をもたせる、ヘアエクステンションが着脱可能な装飾具を提供する。【解決手段】毛束１の先端にあるヘアエクステンションの取付部２を、ヘアアクセサリー１０１の装着部４へ取り付ける。取り付けた後、毛束１を毛髪と馴染ませたい場所を確認し、頭頂部から後頭部付近の任意の所に装飾具１０２を装着し、毛髪に馴染ませる。【選択図】図５
0003186579.tif 000002
【実用新案登録請求の範囲】
【請求項１】
毛束及び前記毛束の先端と連結する取付部とからなるヘアエクステンションと、前記取付部を任意の位置で着脱できる装着部を有するヘアアクセサリーとからなる装飾具。
【請求項２】
前記取付部の少なくとも二辺に前記毛束の先端が連結されていることを特徴とする請求項１に記載の装飾具。
【請求項３】
前記取付部は、前記ヘアアクセサリーの装着部と面テープにより着脱されることを特徴とする請求項１又は２に記載の装飾具。
【請求項４】
前記毛束及び取付部からなるヘアエクステンションを、任意の位置で着脱できる装着部を有することを特徴とするヘアアクセサリー。
【請求項５】
前記ヘアアクセサリーの装着部に着脱できる、前記取付部と前記毛束からなることを特徴とするヘアエクステンション。
【考案の詳細な説明】
【技術分野】
【０００１】
本考案は、ヘアエクステンションが着脱可能な装飾具の考案である。
【背景技術】
【０００２】
ヘアエクステンションの装飾具に関して、装着者自身が着脱でき、かつ状況によって長さや色の異なる装飾具が発明されている。この発明は、毛髪の先端に装着させるための突起物を有する飾りを有しているものである。
【先行技術文献】
【特許文献】
【０００３】
【特許文献１】特開２０１２−１７２２６７号公報
【考案の概要】
【考案が解決しようとする課題】
【０００４】
ヘアエクステンションの装飾具に係る発明として上記特許文献１にかかる発明が存在する。この特許文献１に係る発明は、シート上の先端に掛止部を形成したモノフィラメントからなる多数の突起状物を配設した基体と、当該基体に取り付けられた毛束とからなり、前記突起状物を頭部に装着することにより装着者が着脱を行うことができるものである。
【０００５】
しかしながら、上記特許文献１に係る発明は、毛束ごとにそれぞれ突起状物が配設されているため、装着したいすべての毛束を着脱するのに時間を要していた。
【０００６】
また、人の毛髪は頭部の場所によっていろいろな流れが存在するため、ヘアエクステンションを装着する場所によっては毛束が毛髪と一体しないことから、装着後不自然な髪形になってしまうものとなっていた。
【０００７】
本考案は、このような問題点に鑑み、迅速かつ容易に着脱が行えることを第一の目的とする。また、装着できる部分を頭部の前後左右どの場所においても可能とし、且つ毛髪と一体感をもたせることを第二の目的とする。
【課題を解決するための手段】
【０００８】
上記のような問題点を解決するため、第１の考案は、毛束及び前記毛束の先端と連結する取付部とからなるヘアエクステンションと、前記取付部を任意の位置で着脱できる装着部を有するヘアアクセサリーとからなる装飾具である。
【０００９】
また、第２の考案は、上記考案において、前記取付部の少なくとも二辺に前記毛束の先端が連結されていることを特徴とする装飾具である。
【００１０】
また、第３の考案は、上記考案において、前記取付部は、前記ヘアアクセサリーの装着部と面テープにより着脱されることを特徴とする装飾具である。
【００１１】
また、第４の考案は、前記毛束及び取付部からなるヘアエクステンションを、任意の位置で着脱できる装着部を有することを特徴とするヘアアクセサリーである。なお、このヘアアクセサリーには、カチューシャの他、ティアラ、ブローチ、ヘアピン、ヘアバンド、リボン、かつらなどが含まれる。
【００１２】
また、第５の考案は、前記ヘアアクセサリーの装着部に着脱できる、前記取付部と前記毛束からなることを特徴とするヘアエクステンションである。
【図面の簡単な説明】
【００１３】
【図１】この考案の実施の形態１にかかるヘアエクステンションの正面図である。
【図２】この考案の実施の形態１にかかるヘアエクステンションの右側面図である。
【図３】図１に示したヘアエクステンションをヘアアクセサリーに取り付けたときの装飾具の背面図である。
【図４】図３に示した装飾具を頭部に装着したときの状態を示す説明図である。
【図５】図１に示したヘアエクステンションを図３と逆向きにヘアアクセサリーに取り付けた変形例にかかる装飾具の背面図である。
【図６】図５に示した装飾具を頭部に装着したときの状態を示す説明図である。
【図７】この考案の実施の形態２にかかるヘアエクステンションの正面図である。
【図８】図７に示したヘアエクステンションをヘアアクセサリーに取り付けたときの装飾具の背面図である。
【図９】図８に示した装飾具を頭部に装着したときの状態を示す説明図である。
【図１０】毛束の長さを短くした変形例にかかるヘアエクステンションの正面図である。
【図１１】図１０に示したヘアエクステンションをヘアアクセサリーに取り付けたときの装飾具の背面図である。
【図１２】図１１に示した装飾具を前頭部に装着したときの状態を示す説明図である。
【考案を実施するための形態】
【００１４】
以下これらの考案につき、図面を参照しつつ詳細に実施の形態を説明する。なおこの実施の形態によりこれらの考案が限定されるものではない。
【００１５】
[実施の形態１]
図１は、この考案の実施の形態１にかかるヘアエクステンションの正面図である。本ヘアエクステンションは、毛束１とその先端に有する取付部２からなる。毛束１の先端は、取付部２の一辺と連結している。なお、毛束１のデザインや形状、長さはヘアスタイルに合わせて自由自在に選択することができる。
【００１６】
図２は、この考案の実施の形態１にかかるヘアエクステンションの右側面図である。図３は、図１に示したヘアエクステンションをヘアアクセサリーに取り付けたときの装飾具の背面図である。毛束１の先端にある前記取付部２の背面には、ヘアエクステンション１００をヘアアクセサリー１０１に取り付けるための面テープ３を備えている。なお、前記取付部２の形状は、ヘアアクセサリー１０１の背面に装着できるよう、多角形や円形状のものとしてもよい。また、取付部２の素材は、頭部や髪にダメージを与えないよう、プラスチックやナイロン、布、ゴムなどを素材としても良い。
【００１７】
ヘアアクセサリー１０１の背面には装着部４があり、ヘアエクステンション１００を複数且つ任意の場所に取り付けができるようになっている。したがって、ヘアアクセサリー１０１の装着部４のエリア内の右側又は左側あるいは中央部分のみに集中してヘアエクステンション１００を複数装着することもできる。また、ヘアエクステンション１００をへアアクセサリー１０１の装着部４に分散して取り付けても良い。また、ヘアアクセサリー１０１は、カチューシャの他、ティアラ、ブローチ、ヘアピン、ヘアバンド、リボン、かつらなどを用いても良い。前記装着部４は、前記取付部２を簡単に取り付けできるよう面テープ状のものが望ましい。
【００１８】
以下、本ヘアアクセサリーの使用方法を説明する。図４は、図３に示した装飾具を頭部に装着したときの状態を示す説明図である。
【００１９】
本ヘアアクセサリーをヘアエクステンションとして使用するには、毛束１の先端にある取付部２をヘアアクセサリー１０１の装着部４へ取り付ける。このときの取り付け位置は、ヘアアクセサリー１０１の左右中央いずれに取り付けてもよい。取り付けた後、毛束１を毛髪と馴染ませたい場所を確認し、頭頂部から後頭部付近の任意の所に装飾具１０２を装着する。
その後、櫛などで毛髪に馴染ませ、髪形を整える。ヘアエクステンションを取り外したり、別のものに交換するときは、図４の状態から装飾具１０２を頭部から直接取り外した後に、ヘアアクセサリー１０１の装着部４から取付部２を取り外す。
【００２０】
図５は、図１に示したヘアエクステンションを図３と逆向きにへアアクセサリーに取り付けた変形例にかかる装飾具の背面図である。図６は、図５に示した装飾具を頭部に装着したときの状態を示す説明図である。図３と逆向きにヘアエクステンション１００をヘアアクセサリー１０１の装着部４に取り付けることにより、後頭部付近に対して簡単にヘアエクステンション１００を装着できる。
【００２１】
このように、装飾具１０２を頭部に着脱することによって、ヘアエクステンション１００を迅速かつ容易に着脱できる。さらに、頭部にヘアエクステンション１００を直接装着しないことから着脱時に毛髪を傷めることなく着脱することができる。
【００２２】
[実施の形態２]
図７は、この考案の実施の形態２にかかるヘアエクステンションの正面図である。以下、実施の形態１と同じ構成要素には同じ符号を用いて説明を省略し、異なる部分を説明するものする。
【００２３】
このヘアエクステンションも図１と同様に、毛束１と、毛束１の先端と連結する取付部５とからなるが、取付部５が図１の取付部２のように正方形状ではなく、ひし型状になっている点と、毛束１の先端が取付部５の二辺にわたって連結している点が異なる。
【００２４】
図８は、図７に示したヘアエクステンションをヘアアクセサリーに取り付けたときの装飾具の背面図である。図９は、図８に示した装飾具を頭部に装着したときの状態を示す説明図である。実施の形態１と異なる点は、ヘアエクステンション２００の取付部５の上辺部６a及び下辺部６bをヘアアクセサリー１０１の上辺部７a及び下辺部７bと平行になるよう取り付ける点である。このように取り付けたときには、毛束が斜め方向に流れるため、後頭部、側頭部付近の毛髪が後ろ向きに流れているような場合に適している。取り付けた後、装飾具１０２を頭部に装着した際、ヘアエクステンション２００が左右側頭部から後頭部付近の毛髪に自然と馴染み易くなり、毛髪と一体感を有する。
【００２５】
図１０は、毛束の長さを短くした変形例にかかるヘアエクステンションの正面図である。変形例として毛束８の長さを実施の形態１及び２の毛側よりも短くすることもできる。なお、取付部２は図７の取付部５のようにひし形状にしてもよい。
【００２６】
図１１は、図１０に示したヘアエクステンションをヘアアクセサリーに取り付けたときの装飾具の背面図である。図１２は、図１１に示した装飾具を前頭部に装着したときの状態を示す説明図である。図１１のようにヘアエクステンション２５０をヘアアクセサリー１０１の装着部４に取り付けた後、図１２のように前頭部付近で装着具１０２を装着し、ヘアエクステンション２５０を前髪に馴染ませ髪形を整える。
【００２７】
これにより、前頭部においてもヘアエクステンションを複数かつ任意の場所に装着することができる。
【符号の説明】
【００２８】
１００  ヘアエクステンション
１  毛束
２  取付部
３  面テープ
４  装着部
１０１  ヘアアクセサリー
１０２  装飾具
２００  ヘアエクステンション
５   取付部
６a  取付部５の上辺部
６b  取付部５の下辺部
７a  ヘアアクセサリー１０１の上辺部
７b  ヘアアクセサリー１０１の下辺部
２５０  ヘアエクステンション  
８  毛束
【図１】
0003186579.tif 000003
【図２】
0003186579.tif 000004
【図３】
0003186579.tif 000005
【図４】
0003186579.tif 000006
【図５】
0003186579.tif 000007
【図６】
0003186579.tif 000008
【図７】
0003186579.tif 000009
【図８】
0003186579.tif 000010
【図９】
0003186579.tif 000011
【図１０】
0003186579.tif 000012
【図１１】
0003186579.tif 000013
【図１２】
0003186579.tif 000014
【手続補正書】
【提出日】平成25年8月14日(2013.8.14)
【手続補正１】
【補正対象書類名】実用新案登録請求の範囲
【補正対象項目名】請求項４
【補正方法】変更
【補正の内容】
【請求項４】
毛束及び当該毛束の先端と連結する取付部を有するヘアエクステンションを、任意の位置で着脱できる装着部を設けたことを特徴とするヘアアクセサリー。
【手続補正２】
【補正対象書類名】実用新案登録請求の範囲
【補正対象項目名】請求項５
【補正方法】変更
【補正の内容】
【請求項５】
毛束と、
ヘアアクセサリーの装着部に取り付けることができる、前記毛束の先端と連結する取付部と、
を有することを特徴とするヘアエクステンション。